(57)【特許請求の範囲】
【請求項１】
既存壁上に建築、構築物の基礎から軒桁もしくは妻梁に、斜めに伸びる金属帯状の補強板が配設され、少なくとも該補強板の上端部は既存壁を介して軒桁もしくは妻梁に固定されていると共に、下端部は基礎に固定され、さらには、該補強板上に既存壁を覆うように新規壁が形成されていることを特徴とする外壁構造。
【請求項２】
建築、構築物の基礎から軒桁もしくは妻梁に、斜めに伸びる金属帯状の補強板が配設され、少なくとも該補強板の上端部は軒桁もしくは妻梁に固定されていると共に、下端部は基礎に固定され、さらには、該補強板上に壁が形成されていることを特徴とする外壁構造。
【発明の詳細な説明】
【０００１】
【産業上の利用分野】
本発明は既存外壁の改修時、および新築の際の外壁構造に関するものである。
【０００２】
【従来の技術】
従来、この種の外壁構造としては、▲１▼改修の場合はモルタルやコンクリートの既存壁上に直にあるいは縦胴縁を介して乾式壁材を施工した構造であった。▲２▼新築場合は単に主柱や間柱上に防水シートや縦胴縁を介して乾式壁材を施工した構造であった。
【０００３】
【発明が解決しようとする課題】
しかしながら、このような外壁構造では、▲１▼改修時においては、既存の柱や土台等が一部腐食しており、従来の強度を発揮しない場合があり、この欠陥を既存壁上からはなかなか発見することができず、知らずに既存壁上に新規壁を形成してしまう場合もあり、壁の耐久性や耐震性に問題があった。▲２▼新築の際には柱間にすじかいを入れて壁の強度を向上しているが、まだまだ壁倍率（壁面の強度）が十分でない場合があった。
【０００４】
【課題を解決するための手段】
本発明はこのような欠点を除去するため、基礎から躯体を構成する土台、胴差し、軒桁もしくは妻梁にかけて、強度を補強する金属帯状の補強板を複数配設固定したことにより、▲１▼既存壁を新規壁で改修する際には、改修しながらにして、建物全体の強度を向上させることができる。▲２▼また、新築の際にも容易に壁倍率を向上することができる外壁構造を提案するものである。
【０００５】
【実施例】
以下に図面を用いて本発明に係る外壁構造の一実施例について詳細に説明する。図１（ａ）、（ｂ）においてＡは建物の躯体、Ｂは既存壁、Ｃは補強板、Ｄは新規壁、Ｅは基礎、Ｆは役物である。
【０００６】
躯体Ａは図１（ｂ）に示すように、垂直方向に伸びる主柱１、間柱２、および水平方向に伸びる土台３、軒桁もしくは妻梁４とから構成される一般的なものである。勿論、これらは木造構造の建物での名称であり、鉄骨造構造ではこれらの位置に、Ｈ型鋼材、角形鋼材、Ｃ型鋼材等が配設されているものである。なお、図１（ｂ）では便宜上既存壁Ｂを一点鎖線で示し省略してあるものである。
【０００７】
また、既存壁Ｂは躯体Ａの外側面に例えば木摺、防水シート、ラスシート、モルタル壁材の順に配設、施工されたモルタル壁からなるもの、もしくは、躯体Ａ上に胴縁を設け、防水シート、金属サイディング、窯業系サイディング、ＡＬＣパネル、タイル、塩ビ押出サイディング等の乾式壁材等からなるもの、その他コンクリート壁等からなるものである。
【０００８】
さらに、補強板Ｃは図１（ａ）、（ｂ）に示すように既存壁Ｂ上に基礎Ｆから土台３、主柱１、間柱２を介して軒桁もしくは妻梁４にかけて斜めに配設されるものであり、図に示すように２本以上たすき状に交差して配設されるものである。また、補強板Ｃはその下端部を基礎にコンクリートネイルやコンクリートアンカー、コンクリート釘、釘、スクリュウビス等の固定具αにて固定し、その上端を軒桁もしくは妻梁４に固定具αにて固定するものである。勿論、補強板Ｃと交差する主柱１、間柱２、土台３の部分にも固定具αにて固定すれば、なお強度の向上が図られるものである。
【０００９】
補強板Ｃを配設することにより、古くなった躯体Ａおよび既成壁Ｂの強度を向上する筋交いの機能を有するものであり、主柱１、間柱２、土台３の一部が腐食しており、強度的に弱点があったとしても、それを補う機能も有するものである。
【００１０】
なお、図１（ａ）、（ｂ）は改修時の外壁構造を示すものであるが、新築時の際は図１（ａ）、（ｂ）において既存壁Ｂが存在しないだけで、その他は同様な構造となるものであり、新築時に躯体Ａに補強板Ｃを配設することで、壁倍率を容易に向上することができ、耐久性、耐震性に優れた建物とすることができる。
【００１１】
また、補強板Ｃは図２に示すように、例えば幅狭の長尺薄板状の金属鋼板（スチール、ステンレス、チタン、アルミ・亜鉛合金メッキ鋼板、ホーロー鋼板、クラッド鋼板、ラミネート（塩ビ鋼板等）鋼板、サンドイッチ鋼板、ガルバリウム鋼板、等）の薄板で金属帯状物からなるものである。
【００１２】
補強板Ｃは金属製とすることにより、金属が持つ特有の粘りと引っ張り強度の強さにより、壁倍率を大幅に向上させることができると共に、薄板状とすることにより、補強板Ｃを２重、３重に交差して配設したとしても、その厚さが邪魔にならずに、新規壁を直接施工することができるものである。
【００１３】
新規壁Ｄは金属サイディング材、もしくは、窯業系サイディング材、塩ビ押出サイディング材、ＡＬＣパネル、タイル、金属パネル等からなる乾式外壁材からなるものであり、特に図３に示すような、金属薄板からなる表面材５とシート状物からなる裏面材６とで、合成樹脂発泡体からなる芯材７をサンドイッチした金属サイディングが軽量で強度にも優れ、なおかつ、施工容易な点から好ましいものである。
【００１４】
また、新規壁Ｄは図１（ａ）、（ｂ）に示すように、改修の際には補強板Ｃおよび既存壁Ｂ上から、新築の際には補強板Ｃ上から直接、主柱１、間柱２等の躯体Ａに固定具αを介して順次取り付けられ、建物の外表面を多い、意匠性、断熱性、防音性、防火性等をさらに向上させるものである。勿論、新規壁Ｄを形成する際には、水切り、スタータ、止縁、ジョイナ、出隅、入隅、等の役物Ｆを必要に応じて配設するものである。
【００１５】
次に、本発明に係る外壁構造の施工方法について説明する。先ず、図１（ａ）、（ｂ）に示すように、改修の際にはモルタル壁等からなる既存壁Ｂ上に、新築の際には躯体Ａ上に、図２に示すような長尺帯状の補強板Ｃ２本を建物の壁面４隅から対角線上にクロスさせるように配設し、固定具αによって、補強板Ｃの下端部を基礎Ｅに、上端部を軒桁もしくは妻梁４をそれぞれ固定する。そして、補強板Ｃと交差する主柱１、間柱２、土台３の部分をそれぞれ固定具αによって固定し、躯体Ａおよび既存壁Ｂの強度を補強し、向上させる。
【００１６】
そして、図３に示すような金属サイディング材からなる新規壁Ｄを補強板Ｃ上から、主柱１、間柱２等の躯体Ａに釘等の固定具αを用いて、順次取り付け、施工するものである。なお、基礎Ｅの表面に表れる補強板Ｃの下端部、基礎Ｅ上に化粧モルタルや、化粧吹き付け材を施工し、内部に隠蔽して、美観を向上させることもできる。
【００１７】
以上説明したのは、本発明に係る外壁構造の一実施例であり、図４〜図１４に示すような構造としたり、各部材を用いることもできる。
【００１８】
すなわち、図４（ａ）〜（ｆ）は新規壁Ｄに用いられる乾式壁材のその他の例を示すものであり、図４（ａ）〜（ｃ）は金属サイディング、図４（ｄ）は塩ビサイディング（硬質樹脂製の表面材５で形成したもの）、図４（ｅ）、（ｆ）は窯業系サイディングの断面形状を示すものである。
【００１９】
図５（ａ）は補強板Ｃと新規壁Ｄとの間に防水シートＧを介在した例、図５（ｂ）は補強板Ｃと新規壁Ｄとの間に新規壁Ｄの取付下地となる胴縁８を介在した例、図６は新規壁Ｄを縦張り状の乾式壁材とした例である。
【００２０】
図７（ａ）は改修する既存壁Ｂの面積の広さによって、補強板Ｃの数を任意に増やしたものである。また、図７（ｂ）は改修する既存壁Ｂに窓、玄関等の開口部βが存在する際の補強板Ｃの配設例を示したものであり、開口部βの左右に補強板Ｃを交差して配設すると共に、開口部βの上下部分にも水平に伸びる補強板Ｃを配設することで、既存壁Ｂに開口部βが存在しても強度を向上させることができるものである。
【００２１】
図８は建物が２階建て以上の際の例を示すものであり、建物が２階建て以上の際には土台３と軒桁もしくは妻梁４との間に胴差し９が介在する躯体Ａの構造を示す例である。なお、図７、図８においては既存壁Ｂを便宜上一点鎖線で示しており、新築の際には既存壁Ｂが存在しないものである。
【００２２】
図９は補強板Ｃが垂直方向に伸びる躯体Ａと交差する部分の固定の仕方を示すものであり、例えば図９（ａ）に示すような幅のある主柱１の場合は、水平方向に３箇所固定具αを打設するものである。また、図９（ｂ）に示すような幅の狭い間柱２の場合は、垂直方向に２箇所固定具αをそれぞれ固定するものである。
【００２３】
図１０は補強板Ｃの上端部が、躯体Ａの軒桁もしくは妻梁４に固定される部分を抽出して示したものであり、軒桁もしくは妻梁４の上端にそって補強板Ｃの上端部を切り揃え、約５箇所ほど固定具αにて固定するものである。また、軒桁もしくは妻梁４が主柱１と交差する部分にも３箇所ほど固定するものである。
【００２４】
図１１は、補強板Ｃの下端部を補強板Ｃがたるみ無く基礎Ｅに固定するために用いられる、取付金具Ｈを示すものである。すなわち、この取付金具Ｈは長方形状の板状金属物からなり、下端部に下部下孔１０を３箇所、上端部の略中央部分を切り欠き両サイドに舌片１４を形成すると共に、舌片１４に上部下孔１１を２箇所形成し、さらには、取付金具Ｈの中心部に空洞孔１２を、側部中央に切り欠き１３をそれぞれ形成したものである。
【００２５】
次にこの取付金具Ｈの使用方法を説明すると、まず図１２（ａ）に示すように、補強板Ｃの下端にそれぞれ側から切り込み溝１５を形成し、図１２（ｂ）に示すように、補強板Ｃの切り込み溝１５に取付金具Ｈの舌片１４を挿入する。そして図１２（ｂ）の矢印に示すように、取付金具Ｈの空洞孔１２と切り欠き１３を視点にして、取付金具Ｈをある程度折りたたむ。
【００２６】
この状態で、図１３に示すように、取付金具Ｈの真ん中の下部下孔１０を介して、固定具αを用いて取付金具Ｈを基礎Ｅに仮止めする。次に図１４（ａ）および図１４（ａ）の断面図である図１４（ｂ）に示すように、取付金具Ｈの舌片１４に形成した上部下孔１１から下部下孔１０にかけて、固定具αを挿入し、基礎Ｅに次第に打ちこんで固定する。そうすると、取付金具Ｈが次第に折りたたまれるとと同時に、補強板Ｃが引っ張られ、たわみなく補強板Ｃを固定することができるものである。
【００２７】
なお、この取付金具Ｈは補強板Ｃの下部（通常は、高所作業にならないように基礎Ｅ側のみ取付金具Ｈを用いる）ばかりでなく、上部にも用いることができるものである。
【００２８】
【発明の効果】
以上説明したように本発明に係る外壁修構造によれば、▲１▼新築時でも、改修時でも容易に壁の強度を向上させることができ、耐久性、耐震性に優れた建物とすることができる。▲２▼補強板は基礎に取り付けるので土台や柱等に一部腐食や強度状の弱点部があっても、それに影響されずに強度を向上することができる。▲３▼補強板は薄板状であるので、重ねても厚みや段差を気にせずとも、新規壁を容易に形成することができる。▲４▼補強板を金属製としたので、金属特有の引っ張りにつよく粘りがあるので、外圧が加わった際も建物が一気に破壊することがない。等の特徴、効果がある。
【図面の簡単な説明】
【図１】本発明に係る外壁構造の代表例を示す説明図である。
【図２】本発明に用いる補強板の例を示す説明図である。
【図３】本発明に用いる新規壁の例を示す説明図である。
【図４】新規壁のその他の例を示す説明図である。
【図５】本発明に係る外壁構造のその他の例を示す説明図である。
【図６】本発明に係る外壁構造のその他の例を示す説明図である。
【図７】本発明に係る外壁構造のその他の例を示す説明図である。
【図８】本発明に係る外壁構造のその他の例を示す説明図である。
【図９】補強板の取り付け方の例を示す説明図である。
【図１０】補強板の取り付け方の例を示す説明図である。
【図１１】補強板の取り付ける際に用いることができる取付金具の例を示す説明図である。
【図１２】取付金具の取り付け方の例を示す説明図である。
【図１３】取付金具の取り付け方の例を示す説明図である。
【図１４】取付金具の取り付け方の例を示す説明図である。
【符号の説明】
α  固定具
β  開口部
Ａ  躯体
Ｂ  既成壁
Ｃ  補強板
Ｄ  新規壁
Ｅ  基礎
Ｆ  役物
Ｇ  防水シート
Ｈ  取付金具
１  主柱
２  間柱
３  土台
４  軒桁もしくは妻梁
５  表面材
６  裏面材
７  芯材
８  胴縁
９  胴差し
１０  下部下孔
１１  上部下孔
１２  空洞孔
１３  切り欠き
１４  舌片
１５  切り込み溝
【図１】
0003719549.tif 000002
【図２】
0003719549.tif 000003
【図３】
0003719549.tif 000004
【図４】
0003719549.tif 000005
【図５】
0003719549.tif 000006
【図６】
0003719549.tif 000007
【図７】
0003719549.tif 000008
【図８】
0003719549.tif 000009
【図９】
0003719549.tif 000010
【図１０】
0003719549.tif 000011
【図１１】
0003719549.tif 000012
【図１２】
0003719549.tif 000013
【図１３】
0003719549.tif 000014
【図１４】
0003719549.tif 000015